(57)【要約】      （修正有）【課題】２本のスリングベルトでの被吊り材の吊下げ時におこる張力の作用で、被吊り材の安定が確認できるまで、スリングベルトのずれがないように、２名の作業員が被吊り材の両側からスリングベルトを保持し、作業員が手を挟む危険性をなくす、簡単な構成の吊り下げ具のズレ防止具を提供する。【解決手段】吊下げ具のズレ防止具は、吊下げ具５により吊下げられる被吊り材の外周面に当接するズレ防止具本体６と、上記ズレ防止具本体６に設けた、上記被吊り材の外周面の孔に挿入される突起部７と、上記ズレ防止具本体６に設けた、上記吊下げ具を係止する係止部９とよりなることを特徴とする。【選択図】図５
0003185088.tif 000002
【実用新案登録請求の範囲】
【請求項１】
吊下げ具により吊下げられる被吊り材の外周面に当接するズレ防止具本体と、
上記ズレ防止具本体に設けた、上記被吊り材の外周面の孔に挿入する突起部と、
上記ズレ防止具本体に設けた、上記吊下げ具を係止する係止部とよりなることを特徴とする吊下げ具のズレ防止具。
【請求項２】
上記係止部は、矩形の板状部材よりなる上記ズレ防止具本体の両端からそれぞれ鋭角に折り曲げた折り曲げ部よりなり、上記吊下げ具は、上記係止部内に挿入されることを特徴とする請求項１記載の吊下げ具のズレ防止具。
【請求項３】
上記ズレ防止具本体に、上記被吊り材に装着した上記ズレ防止具本体の回転防止用の突片を更に有することを特徴とする請求項１又は２記載の吊下げ具のズレ防止具。
【請求項４】
上記突片は、上記ズレ防止具本体の上辺又は下辺に設けた板状の突片であることを特徴とする請求項３記載の吊下げ具のズレ防止具。
【請求項５】
上記被吊り材は、複数の被吊り材が上下に積み重ねられたものであり、上記突片は、積み重ねられた上記被吊り材間に挿入されることを特徴とする請求項３又は４記載の吊下げ具のズレ防止具。
【請求項６】
上記突片が上記ズレ防止具本体に設けられる位置は、上記係止部に係止した吊下げ具から一端側又は他端側にずれた位置であることを特徴とする請求項３、４又は５記載の吊下げ具のズレ防止具。
【請求項７】
上記被吊り材は、弧状に湾曲した湾曲部材であることを特徴とする請求項１、２、３、４、５又は６記載の吊下げ具のズレ防止具。
【考案の詳細な説明】
【技術分野】
【０００１】
本考案は、吊下げ具のズレ防止具、特に、輪状となって被吊り材を抱持して吊下げるスリングベルトやワイヤーロープなどの吊下げ具のズレ防止具に関するものである。
【背景技術】
【０００２】
例えば、複数の湾曲したシールドトンネル用セグメントなどの被吊り材を上下に積み重ねたものを、その両端で、２本のスリングベルトで吊下げる際、この２本のスリングベルトが互いに離れる方向にずれて、上記被吊り材から外れてしまうことを防止するために、この２本のスリングベルトを連結具で連結したものがある（特許文献１）。
【０００３】
また、この２本のスリングベルトが、互いに近づく方向にずれることも防止するために、この２本のスリングベルトを剛性のある棒状連結具で連結したものもある（特許文献２）。
【先行技術文献】
【特許文献】
【０００４】
【特許文献１】特開２００２−８７７５３号
【特許文献２】特開平１０−２７９２６２号
【考案の概要】
【考案が解決しようとする課題】
【０００５】
しかしながら、上記いずれの連結具も、上記被吊り材に吊下げ具を固定するものでないため、上記被吊り材に対して２本のスリングベルトが一体となってずれてしまい、被吊り材のバランスが崩れ、上記スリングベルトが被吊り材から外れてしまうという危険性があった。
【０００６】
また、被吊り材を２本のスリングベルトで吊下げる際、上記スリングベルトに張力が作用し、被吊り材の安定が確認できるまで、上記スリングベルトがずれないように、２名の作業員が被吊り材の両側からスリングベルトを保持する必要があり、作業員が手を挟んでしまう危険性があった。
【０００７】
本考案は上記の欠点を除くようにしたものである。
【課題を解決するための手段】
【０００８】
本考案の吊下げ具のズレ防止具は、吊下げ具により吊下げられる被吊り材の外周面に当接するズレ防止具本体と、上記ズレ防止具本体に設けた、上記被吊り材の外周面の孔に挿入する突起部と、上記ズレ防止具本体に設けた、上記吊下げ具を係止する係止部とよりなることを特徴とする。
【０００９】
また、上記係止部は、矩形の板状部材よりなる上記ズレ防止具本体の両端からそれぞれ鋭角に折り曲げた折り曲げ部よりなり、上記吊下げ具は、上記係止部内に挿入されることを特徴とする。
【００１０】
また、上記ズレ防止具本体に、上記被吊り材に装着した上記ズレ防止具本体の回転防止用の突片を更に有することを特徴とする。
【００１１】
また、上記突片は、上記ズレ防止具本体の上辺又は下辺に設けた板状の突片であることを特徴とする。
【００１２】
また、上記被吊り材は、複数の被吊り材が上下に積み重ねられたものであり、上記突片は、積み重ねられた上記被吊り材間に挿入されることを特徴とする。
【００１３】
また、上記突片が上記ズレ防止具本体に設けられる位置は、上記係止部に係止した吊下げ具から一端側又は他端側にずれた位置であることを特徴とする。
【００１４】
また、上記被吊り材は、弧状に湾曲した湾曲部材であることを特徴とする。
【考案の効果】
【００１５】
本考案の吊下げ具のズレ防止具によれば、簡単な構成で、被吊り材に対して吊下げ具のずれを防止できるようになる。
【００１６】
また、ズレ防止具から吊下げ具が簡単に外れないようになる。
【図面の簡単な説明】
【００１７】
【図１】本考案の吊下げ具のズレ防止具の説明図である。
【図２】本考案の吊下げ具のズレ防止具の平面図である。
【図３】本考案の吊下げ具のズレ防止具の正面図である。
【図４】本考案の吊下げ具のズレ防止具の左側面図である。
【図５】本考案の吊下げ具のズレ防止具の斜視図である。
【考案を実施するための形態】
【００１８】
以下、図面によって本考案の実施例を説明する。
【実施例１】
【００１９】
図１〜図５は本考案の吊下げ具のズレ防止具を示し、１は、弧状に湾曲したシールドトンネル用セグメントなどの被吊り材を示し、この被吊り材１には、例えば、セグメント連結用のボルト挿入孔２が形成されている。
【００２０】
また、３は、輪状となって上記被吊り材１を抱持して吊下げる、例えばナイロン製のスリングベルトやワイヤーロープなどの吊下げ具を示し、２本の吊下げ具３，３を用いて、上下に複数積み重ねられた上記被吊り材１の両端をそれぞれ抱持して吊下げるようにする。
【００２１】
また、５は、上記吊下げ具３が上記被吊り材１に対してずれてしまうことを防止するためのズレ防止具であって、このズレ防止具５は、上記被吊り材１の側面１ａに当接する、矩形の板状部材よりなるズレ防止具本体６と、このズレ防止具本体６の裏面６ａの中央部に設けた、上記孔２に挿入される棒状の突起部７と、上記ズレ防止具本体６の上辺６ｂに突出して設けた、上下の互いに隣接する被吊り材１間に挿入される矩形板状の突片８と、上記ズレ防止具本体６の表面６ｃに設けた、上記吊下げ具３を上記ズレ防止具５に係止する係止部９とよりなる。
【００２２】
なお、上記突片８は、主に、上記ズレ防止具本体６を上記被吊り材１に装着したときに、上記ズレ防止具本体６の回転を防止するためのものであり、上記ズレ防止具本体６の裏面６ａの任意の位置に設けてもよいが、上記突片８を、上記ズレ防止具本体６の上辺６ｂの中心から一端側又は他端側にずれた位置に設け、上記係止部９に吊下げ具３を係止した時に、上記突片８が上記吊下げ具３から一端側又は他端側にずれた位置になるようにするのが好ましい。
【００２３】
これは、上記突起部７を上記被吊り材１の孔２に挿入しただけでは、上記孔２から抜けて、上記ズレ防止具５が上記被吊り材１から外れてしまう場合があるが、上記突起部７と上記突片８とを設け、特に、上記突片８を一端側又は他端側にずれた位置に設けることにより、上記ズレ防止具５が上記被吊り材１から容易に外れてしまうのを防止することができる。
【００２４】
また、上記ズレ防止具５が上記吊下げ具３から回転力を受けた場合であっても、上記突片８が一端側又は他端側にずれた位置に設けられているので、上記ズレ防止具本体６の回動する範囲が狭められる。
【００２５】
なお、上記突片８は、上記ズレ防止具本体６の上辺６ｂに設ける代わりに、下辺６ｄに設けるようにしてもよいが、後述するように、下側が凸状に湾曲した被吊り材１を吊下げる場合には、上記ズレ防止具本体６の上辺６ｂで、かつ、この上辺６ｂの中心よりも被吊り材の中央側にずれた位置に設けた突片８を有するズレ防止具５を被吊り材１に装着することにより、上記吊下げ具３からの力を上記突片８が受け止め、上記ズレ防止具５が上記被吊り材１に強固に固定されるようになる。
【００２６】
なお、上記突片８は、上下の互いに隣接する被吊り材１間に挿入するため板状のものであることが好ましいが、棒状であってもよい。
【００２７】
また、上記係止部９は、上記ズレ防止具本体６の両端部６ｅ、６ｅからそれぞれ、表面６ｃ側に、互いに向き合う方向に鋭角に折り曲げた一方及び他方の折り曲げ部９ａ、９ａよりなり、この一方及び他方の折り曲げ部９ａ、９ａ間に上記吊下げ具３を挿入することにより、上記吊下げ具３を上記ズレ防止具本体６に対して係止されるようにする。
【００２８】
なお、上記係止具９の折り曲げ部９ａ、９ａ間の挿入口４は、上記吊下げ具３が挿入しやすいように、上記吊下げ具３の幅よりも大きくしてもよく、また、上記係止具９内は、挿入された吊下げ具３が左右方向に移動できる遊びを有していてもよい。
【００２９】
なお、上記ズレ防止具本体６の両端部６ｅ、６ｅからそれぞれ、表面６ｃ側に、直角方向に折り曲げた折り曲げ部を形成し、その一方及び他方の折り曲げ部間に吊下げ具３を挿入して、上記吊下げ具３を上記ズレ防止具本体６に係止するようにしても良いが、被吊り材１を吊下げた時に、上記吊下げ具３に強い力が加わった場合に、上記吊下げ具３が、上記直角方向に形成された折り曲げ部を乗り越えてしまう場合がある。
【００３０】
そこで、上記折り曲げ部９ａ、９ａを鋭角に形成するのが好ましく、これにより、上記吊下げ具３に強い力が加わっても、上記吊下げ具３が鋭角に折れ曲がった部分に入り込んで、外れないようになる。
【００３１】
また、上記吊下げ具３に張力がかかっていない場合であっても、上記折り曲げ部９ａが鋭角に形成されていることにより、上記吊下げ具３が抜けにくくなる。
【００３２】
なお、上記折り曲げ部９ａは、板状の代わりに、棒状であってもよい。
【００３３】
なお、上記係止部９としては、上記一方及び他方の折り曲げ部９ａを設ける代わりに、上記ズレ防止具本体の表面に環状部を設け（図示せず）、この環状部内に吊下げ具３を挿入して係止するようにしてもよい。
【００３４】
また、上記ズレ防止具本体６に上記吊下げ具３を留め具などの固定手段（図示せず）により固定するようにしてもよい。
【００３５】
また、上記ズレ防止具本体６及び折り曲げ部９ａを、板状部材で形成する代わりに、両端をそれぞれ鋭角に折り曲げた棒状部材を複数並列に連結して形成したものであってもよい。
【００３６】
本考案の吊下げ具のズレ防止具は上記のような構成であるから、地面に載置された、上下に複数積み重ねた被吊り材１の両端に、それぞれ輪状にした一方及び他方の吊下げ具３、３を挿入し、そして、上記一方及び他方の吊下げ具３、３に対応する位置の上記被吊り材１の孔２に、一方及び他方のズレ防止具５の突起部７、７を挿入すると共に、上記各突片８を、上下に互いに隣接する上記被吊り材１，１間に挿入することにより、上記ズレ防止具５を上記被吊り材１に装着し、そして、上記係止部９の折り曲げ部９ａ、９ａ間に上記吊下げ具３を挿入する。
【００３７】
これにより、上記吊下げ具３が上記ズレ防止具５に係止され、上記吊下げ具３により上記被吊り材１を吊下げるようにする。
【００３８】
なお、各吊下げ具３に対して、被吊り材１の表側面及び裏側面にそれぞれズレ防止具５を装着するのが好ましいが、表側面又は裏側面のいずれか一方のみに装着するようにしてもよい。
【００３９】
また、上記ズレ防止具５は、最下段の被吊り材１の孔２に装着するのが好ましいが、その他の段の被吊り材１の孔２に装着してもよい。
【００４０】
また、図１に示すように、下側が凸状に湾曲した被吊り材１を吊下げる場合においては、上記吊下げ具３には、上記被吊り材１の中心側に力が加わり、これにより、図１において、左側のズレ防止具３は時計方向に回転しようとし、右側のズレ防止具３は反時計方向に回転しようとする。そのため、上記ズレ防止具本体６の上辺６ｂで、かつ、この上辺６ｂの中心よりも被吊り材の中央側にずれた位置に設けた突片８を有するズレ防止具５をそれぞれ被吊り材１に装着することにより、上記吊下げ具３からの力を上記突片８が受け止め、強固に上記ズレ防止具５を上記被吊り材１に強固に固定するようになる。
【００４１】
なお、被吊り材の形状や、ズレ防止具の取付位置によって、上記ズレ防止具に係る力を考慮して、いずれかの方向にずれた突片８を有するズレ防止具５を用いるようにしてもよい。
【００４２】
また、被吊り材は１つでもよく、この場合には、上記突片８は、上記被吊り材１の上面又は下面に位置されるようになる。
【００４３】
本考案の吊下げ具のズレ防止具によれば、被吊り材１に形成されたボルト挿入用などの孔２を利用して、ズレ防止具５の突起部７を挿入し、ズレ防止具５を被吊り材１に装着するので、簡単な構成で、被吊り材１に対して吊下げ具５のずれを防止できるようになる。
【００４４】
また、上記突起部７と突片８とを設けることにより、上記ズレ防止具５が上記被吊り材１から外れにくくなる。
【００４５】
また、上記突片８により、上記ズレ防止具５が回転してしまうことがなく、ズレ防止具から吊下げ具が外れないようになる。
【００４６】
また、吊下げ具３を鋭角の折り曲げ部により係止するようにしたので、吊下げ具３が上記ズレ防止具５から外れにくくなる。
【００４７】
また、従来においては、被吊り材を２本の吊下げ具で吊下げる際、被吊り材を抱持した吊下げ具に張力が作用し、被吊り材の安定が確認できるまで、吊下げ具がずれないように、２名の作業員が被吊り材の両側から吊下げ具を保持する必要があり、作業員が手を挟まれる危険性があったが、本考案においては、ズレ防止具５を被吊り材１に装着し、このズレ防止具５に吊下げ具３を係止するようにしたので、吊下げ具３がずれず、吊下げ具３に張力がかかる前から、作業員は吊下げ具３から手を放すことができるようになる。
【符号の説明】
【００４８】
１  被吊り材
１ａ  側面
２  孔
３  吊下げ具
４  挿入口
５  ズレ防止具
６  ズレ防止具本体
６ａ  裏面
６ｂ  上辺
６ｃ  表面
６ｄ  下辺
６ｅ  端部
７  突起部
８  突片
９  係止部
９ａ  折り曲げ部
【図１】
0003185088.tif 000003
【図２】
0003185088.tif 000004
【図３】
0003185088.tif 000005
【図４】
0003185088.tif 000006
【図５】
0003185088.tif 000007